(57)【要約】【課題】頭部を含めたガイドピンの長さを短くしても接続相手とのコンタクトの接触に問題がなく、全長の小型化を図れるバナナ形プラグを得る。【解決手段】頭部２ａの反対側の平面部分に小径のピン部２ｂを一体に設けたガイドピン２と、ピン部２ｂの外周に嵌めたコンタクト３とを備えている。コンタクト３は複数のコンタクト片３ａをその長さ方向の両端で連結部３ｂ，３ｃで相互に連結し、各コンタクト片３ａがピン部２ｂから離間する方向に山形に湾曲させ、各コンタクト片３ａの山形の頂部をそれぞれ接点部３ａｔとする。各接点部３ａｔは、頭部２ａとストッパー部２ｃとの間のピン部２ｂの長さ方向の中央部より前で頭部２ａに隣接した側に設ける。【選択図】図２
2007115505.tif 000002
【特許請求の範囲】
【請求項１】
先端がガイド面をなす頭部の反対側の平面部分に、該頭部より小径のピン部が一体に設けられている導電性のガイドピンと、前記ピン部の外周に嵌められている導電性のばね性材料よりなるコンタクトとを備え、前記コンタクトは前記ピン部に対して平行する向きの複数のコンタクト片がその長さ方向の両端で連結部で相互に連結され、前記各コンタクト片が前記ピン部から離間する方向に山形に湾曲され、前記各コンタクト片の山形の頂部がそれぞれ接点部となっており、前記ピン部には接続相手との嵌め合わせ時に前記コンタクトの移動限界を示すストッパー部が設けられている構造のバナナ形プラグであつて、
前記各接点部は前記頭部と前記ストッパー部との間の前記ピン部の長さ方向の中央部より前で前記頭部に隣接した側に設けられ、前記頭部から前記各接点部に向かう前記各コンタクト片が前記ピン部から離間する方向の傾斜角度が前記ストッパー部から前記各接点部に向かう前記各コンタクト片が前記ピン部から離間する方向の傾斜角度より大きくなっていることを特徴とするバナナ形プラグ。
【請求項２】
前記頭部から前記各接点部に向かう前記各コンタクト片が前記ピン部から離間する方向の傾斜角度はほぼ３０°になっていることを特徴とする請求項１に記載のバナナ形プラグ。
【請求項３】
前記コンタクトは四角形の導電板にその１組の側辺に対して平行に複数の切れ目が該切れ目の方向の両端に連結部を残して入れられ、前記各切れ目で区画された複数のコンタクト片が前記導電板の板面に対して交差する方向に山形に湾曲され、前記各コンタクト片の山形の頂部がそれぞれ接点部となっているものが前記ピン部の外周に巻き付けられて構成されていることを特徴とする請求項１または２に記載のバナナ形プラグ。
【請求項４】
前記各接点部の数は６接点以上となっていることを特徴とする請求項１乃至３のいずれか１項に記載のバナナ形プラグ。
【発明の詳細な説明】
【技術分野】
【０００１】
本発明は、ガイドピンと、その外周に嵌められているバナナ形のコンタクトとを備えたバナナ形プラグに関するものである。
【背景技術】
【０００２】
従来のこの種のバナナ形プラグ１は、図５に示す構造であった。即ち、導電性のガイドピン２と、ピン部２ｂの外周に嵌められている導電性のばね性材料よりなるコンタクト３とを備えている。コンタクト３は、ピン部２ｂに対して平行する向きの複数のコンタクト片３ａがその長さ方向の両端で連結部３ｂ，３ｃで相互に連結され、各コンタクト片３ａがピン部２ｂから離間する方向にほぼ二等辺三角形状の山形に湾曲され、各コンタクト片３ａの山形の頂部がそれぞれ接点部３ａｔとなっている（例えば、特許文献１参照。）。
【０００３】
このような構造のバナナ形プラグ１は、図示しない相手レセプタクルとの接続時に、頭部２ａが嵌まり、これをガイドとして相手レセプタクルが嵌まり、該相手レセプタクルの内面の導体にそれぞれの接点部３ａｔが弾性的に接触して電気的接続状態になる。
【特許文献１】特開平０５−１７２５９５号公報
【発明の開示】
【発明が解決しようとする課題】
【０００４】
しかしながら、このような構造の従来のバナナ形プラグ１では、コンタクト３の各接点部３ａｔの位置がピン部２ｂの長さ方向のほぼ中間部に存在していたので、頭部２ａから接点部３ａｔまでの長さ（接続距離）Ｌが長くなり、例えば携帯機器用電源（バッテリー）端子の場合にはＬ＝約５ｍｍと長くなり、またガイドピン２の頭部２ａを含めた長さも携帯電話用電源（バッテリー）端子の場合には約９ｍｍと長くなり、これに伴い相手レセプタクルの長さも長くなり、小型化ができない問題点があった。
【０００５】
また従来のバナナ形プラグ１では、接点数も４接点と少なく、例えば８Ａ通電下でのセット実装状態でのランダム振動試験において、接触抵抗上昇（接点温度上昇）が起こり、周辺部が溶融する問題点があった。
【０００６】
本発明の目的は、頭部を含めたガイドピンの長さを短くしても接続相手とのコンタクトの接触に問題がなく、全長の小型化を図れるバナナ形プラグを得ることにある。
【０００７】
本発明の他の目的は、接続相手との嵌め合わせ開始時に、コンタクトの接点部を接続相手に接触させることができるバナナ形プラグを得ることにある。
【０００８】
本発明の他の目的は、ピン部がその長さ方向の両側に頭部とストッパー部を有しても、コンタクトの装着を支障なく行えるバナナ形プラグを得ることにある。
【０００９】
本発明の他の目的は、接触抵抗上昇を抑制できるバナナ形プラグを得ることにある。
【課題を解決するための手段】
【００１０】
上記の目的を達成する本発明の構成を説明すると、次のとおりである。
【００１１】
本発明は、先端がガイド面をなす頭部の反対側の平面部分に、該頭部より小径のピン部が一体に設けられている導電性のガイドピンと、前記ピン部の外周に嵌められている導電性のばね性材料よりなるコンタクトとを備え、前記コンタクトは前記ピン部に対して平行する向きの複数のコンタクト片がその長さ方向の両端で連結部で相互に連結され、前記各コンタクト片が前記ピン部から離間する方向に山形に湾曲され、前記各コンタクト片の山形の頂部がそれぞれ接点部となっており、前記ピン部には接続相手との嵌め合わせ時に前記コンタクトの移動限界を示すストッパー部が設けられている構造のバナナ形プラグを改良の対象としている
本発明に係るバナナ形プラグでは、前記各接点部は前記頭部と前記ストッパー部との間の前記ピン部の長さ方向の中央部より前で前記頭部に隣接した側に設けられ、前記頭部から前記各接点部に向かう前記各コンタクト片が前記ピン部から離間する方向の傾斜角度が前記ストッパー部から前記各接点部に向かう前記各コンタクト片が前記ピン部から離間する方向の傾斜角度より大きくなっていることを特徴とする。
【００１２】
この場合、前記頭部から前記各接点部に向かう前記各コンタクト片が前記ピン部から離間する方向の傾斜角度は３０°以下になっていることが好ましい。
【００１３】
また、前記コンタクトは四角形の導電板にその１組の側辺に対して平行に複数の切れ目が該切れ目の方向の両端に連結部を残して入れられ、前記各切れ目で区画された複数のコンタクト片が前記導電板の板面に対して交差する方向に山形に湾曲され、前記各コンタクト片の山形の頂部がそれぞれ接点部となっているものが前記ピン部の外周に巻き付けられて構成されていることが好ましい。
【００１４】
さらに、前記各接点部の数は６接点以上となっていることが好ましい。
【発明の効果】
【００１５】
本発明に係るバナナ形プラグでは、各接点部を頭部とストッパー部との間のピン部の長さ方向の中央部より前で頭部に隣接した側に設け、頭部から各接点部に向かう各コンタクト片がピン部から離間する方向の傾斜角度をストッパー部から各接点部に向かう各コンタクト片がピン部から離間する方向の傾斜角度より大きくしているので、接続相手のレセプタクルとの嵌め合わせ時の嵌め合わせ開始時に、各接点部が接続相手のレセプタクルに接触するようになる。このため、頭部を含めたガイドピンの長さを短くしても接続相手のレセプタクルとのコンタクトの接触に問題がなくなり、全長が従来より短いバナナ形プラグを形成でき、バナナ形プラグの小型化を図ることができる。
【００１６】
この場合、頭部から各接点部に向かう各コンタクト片がピン部から離間する方向の傾斜角度をほぼ３０°にすると、頭部から各接点部までの距離が短くなっても支障なく接続相手のレセプタクルに接触させることができる。
【００１７】
また、コンタクトは、四角形の導電板にその１組の側辺に対して平行に複数の切れ目が該切れ目の方向の両端に連結部を残して入れられ、各切れ目で区画された複数のコンタクト片が導電板の板面に対して交差する方向に山形に湾曲され、各コンタクト片の山形の頂部がそれぞれ接点部となっているものがピン部の外周に巻き付けられて構成されていると、ピン部がその長さ方向の両側に頭部とストッパー部を有しても、後からピン部の外周に巻き付けて装着することができ、コンタクトの装着を支障なく行うことができる。
【００１８】
さらに、各接点部の数が６接点以上になっていると、接続相手のレセプタクルに対する接触面積が増えて接触抵抗の上昇を抑制することができる。
【発明を実施するための最良の形態】
【００１９】
以下本発明に係るバナナ形プラグを実施する最良の形態の一例を図１及び図２を参照して詳細に説明する。図１は本例のバナナ形プラグの側面図、図２は図１でコンタクトを縦断して示した本例のバナナ形プラグの一部縦断側面図、図３は本例で用いているコンタクトの展開図である。なお、前述した図５と対応する部分には、同一符号を付けて示している。
【００２０】
本例のバナナ形プラグ１は、図１及び図２に示すように、先端が丸まって縦断面が円弧状をなすガイド面を有する頭部２ａと、この頭部２ａの反対側の平面部分に、該頭部２ａより小径のピン部２ｂが一体に設けられている導電性のガイドピン２と、ピン部２ｂの外周に嵌められている導電性のばね性材料よりなるコンタクト３とを備え、該コンタクト３はピン部２ｂに対して平行する向きの複数のコンタクト片３ａがその長さ方向の両端で連結部３ｂ，３ｃで相互に連結され、各コンタクト片３ａがピン部２ｂから離間する方向に山形に湾曲され、各コンタクト片３ａの山形の頂部がそれぞれ接点部３ａｔとなっている。これらの構造は、前述した図５と同様である。
【００２１】
このバナナ形プラグ１では、ピン部２ｂには接続相手との嵌め合わせ時にコンタクト３の移動限界を示すストッパー部２ｃが設けられている。頭部２ａとこのストッパー部２ｃとの間のピン部２ｂの長さは、（接続前の山形のコンタクト３の長さ）＋（接続相手のレセプタクルとの接続時に山形のコンタクト３が押しつぶされて延びる寸法ｄ）となっている。
【００２２】
また、このバナナ形プラグ１で各接点部３ａｔは、頭部２ａとストッパー部２ｃとの間のピン部２ｂの長さ方向の中央部より前で頭部２ａに隣接した側に設けられている。しかも、頭部２ａから各接点部３ａｔに向かう各コンタクト片３がピン部２ｂから離間する方向の傾斜角度θ１は、ストッパー部２ｃから各接点部３ａｔに向かう各コンタクト片３ａがピン部２ｂから離間する方向の傾斜角度θ２より大きくなっている。即ち、θ１＞θ２となっている。この頭部２ａから各接点部３ａｔに向かう各コンタクト片３がピン部２ｂから離間する方向の傾斜角度θ１は、ほぼ３０°になっている。
【００２３】
次に、コンタクト３のピン部２ｂに対する装着の仕方について図３及び図１を参照して説明する。
【００２４】
図３に示すように、コンタクト３は四角形の導電板３Ｍにその１組の側辺３Ｍ１，３Ｍ２に対して平行に複数（本例では６本）の切れ目３ｄが該切れ目３ｄの方向の両端に連結部３ｂ，３ｃを残して入れられ、各切れ目３ｄで区画された複数（本例では７本）のコンタクト片３ａが導電板３Ｍの長さ方向の中央部より連結部３ｂ寄りの位置で導電板３Ｍの板面に対して交差する方向に図１に示すように山形に湾曲され、各コンタクト片３ａの山形の頂部がそれぞれ接点部３ａｔとなっているものが頭部２ａとストッパー部２ｃとの間で図１に示すようにピン部２ｂの外周に巻き付けられて構成されている。各接点部３ａｔの数は、６接点以上が好ましく、本例では７接点となっている。
【００２５】
このようなバナナ形プラグ１では、各接点部３ａｔを頭部２ａとストッパー部２ｃとの間のピン部２ｂの長さ方向の中央部より前で頭部２ａに隣接した側に設け、頭部２ａから各接点部３ａｔに向かう各コンタクト片３ａがピン部２ｂから離間する方向の傾斜角度をストッパー部２ｃから各接点部３ａｔに向かう各コンタクト片３ａがピン部２ｂから離間する方向の傾斜角度より大きくしているので、接続相手のレセプタクルとの嵌め合わせ時の嵌め合わせ開始時に、各接点部３ａｔが接続相手のレセプタクルに接触するようになる。このため、頭部２ａを含めたガイドピン２の長さを短くしても接続相手のレセプタクルとのコンタクト３の接触に問題がなくなり、全長が従来より短いバナナ形プラグ１を形成でき、バナナ形プラグ１の小型化を図ることができる。本例では、頭部２ａの頂部から接点部３ａｔまでの軸線方向の長さＬ１が２．４ｍｍとなっていて、図５の場合の４．７５ｍｍより著しく短くなっている。また、本例の場合のガイドピン２の長さＬ２は６．４ｍｍとなっていて、図５の場合の９．２５ｍｍより短くなっている。なお、ガイドピン２の頭部２ａの直径はいずれの場合も２．５ｍｍ、ピン部２ｂの直径はいずれの場合も２．０ｍｍとなっている。
【００２６】
この場合、頭部２ａから各接点部３ａｔに向かう各コンタクト片３ａがピン部２ｂから離間する方向の傾斜角度をほぼ３０°になっているので、頭部２ａから各接点部３ａｔまでの距離が短くなっても支障なく接続相手のレセプタクルに接触させることができる。
【００２７】
また、コンタクト３は、四角形の導電板３Ｍにその１組の側辺３Ｍ１，３Ｍ２に対して平行に複数の切れ目３ｄが該切れ目３ｄの方向の両端に連結部３ｂ，３ｃを残して入れられ、各切れ目３ｄで区画された複数のコンタクト片３ａが導電板３Ｍの板面に対して交差する方向に山形に湾曲され、各コンタクト片３ａの山形の頂部がそれぞれ接点部３ａｔとなっているものがピン部２ｂの外周に巻き付けられて構成されているので、ピン部２ｂがその長さ方向の両側に頭部２ａとストッパー部２ｃを有しても、後からピン部２ｂの外周に巻き付けて装着することができ、コンタクト３の装着を支障なく行うことができる。
【００２８】
さらに、各接点部３ａｔの数が６接点以上になっているので、接続相手のレセプタクルに対する接触面積が増えて接触抵抗の上昇を抑制することができる。
【００２９】
図４（Ａ）（Ｂ）（Ｃ）（Ｄ）は、このバナナ形プラグ１を用いた携帯電話用バッテリー端子板の一例を示したもので、（Ａ）は正面図、（Ｂ）は平面図、（Ｃ）は（Ａ）の左側面図、（Ｄ）は（Ａ）のＸ−Ｘ線断面図である。
【００３０】
図示のように長四角形の絶縁ハウジング４の上面に５つの孔５が設けられ、これら孔５に対応させて絶縁ハウジング４内に前述したバナナ形プラグ１が上向きに収容されている。絶縁ハウジング４内では、各バナナ形プラグ１に接続導体６を介してそれぞれターミナル７が接続されている。これらターミナル７の先端は絶縁ハウジング４の外に突出されている。
【図面の簡単な説明】
【００３１】
【図１】本発明に係るバナナ形プラグを実施する最良の形態の一例を示す側面図である。
【図２】図１でコンタクトを縦断して示した本例のバナナ形プラグの一部縦断側面図である。
【図３】本例で用いているコンタクトの展開図である。
【図４】（Ａ）（Ｂ）（Ｃ）（Ｄ）はこのバナナ形プラグを用いた携帯電話用バッテリー端子板の一例を示したもので、（Ａ）は正面図、（Ｂ）は平面図、（Ｃ）は（Ａ）の左側面図、（Ｄ）は（Ａ）のＸ−Ｘ線断面図である。
【図５】従来のバナナ形プラグの側面図である。
【符号の説明】
【００３２】
１  バナナ形プラグ
２  ガイドピン
２ａ  頭部
２ｂ  ピン部
２ｃ  ストッパー部
３  コンタクト
３ａ  コンタクト片
３ａｔ  接点部
３ｂ，３ｃ  連結部
３ｄ  切れ目
３Ｍ  導電板
３Ｍ１，３Ｍ２  側辺
４  絶縁ハウジング
５  孔
６  接続導体
７  ターミナル
【図１】
2007115505.tif 000003
【図２】
2007115505.tif 000004
【図３】
2007115505.tif 000005
【図４】
2007115505.tif 000006
【図５】
2007115505.tif 000007